(57)【要約】【課題】  簡易な入力操作により情報の入力を行うことができる頭部装着型入力装置を提供する。【解決手段】使用者の少なくとも片眼に映像情報を入力する表示部１４と、前記使用者の頭部に固定する頭部固定部８と、前記使用者の１の操作により第１方向及び第２方向に対する移動量の入力を受け付ける移動量入力部２４と、入力された前記移動量に応じて前記映像情報を変化させる表示制御部とを備える。【選択図】  図１
2011249907.tif 000002
【特許請求の範囲】
【請求項１】
使用者の少なくとも片眼に映像情報を入力する表示部と、
前記使用者の頭部に固定する頭部固定部と、
前記使用者の１の操作により第１方向及び第２方向に対する移動量の入力を受け付ける移動量入力部と、
入力された前記移動量に応じて前記映像情報を変化させる表示制御部と
を備えることを特徴とする頭部装着型入力装置。
【請求項２】
前記移動量入力部は、トラックボールまたはジョイスティックであることを特徴とする請求項１記載の頭部装着型入力装置。
【請求項３】
前記表示制御部は、文字入力において入力を行う文字の候補を２次元的に配置した候補画像を表示することを特徴とする請求項１または２記載の頭部装着型入力装置。
【請求項４】
前記表示制御部は、選択された文字を示す文字選択領域を前記候補画像を表示する候補画像表示領域または前記画像情報の略中央に表示することを特徴とする請求項３記載の頭部装着型入力装置。
【請求項５】
前記表示制御部は、前記文字選択領域に含まれる文字を強調表示することを特徴とする請求項４記載の頭部装着型入力装置。
【請求項６】
前記表示制御部は、前記移動量入力部において入力された所定時間当りの前記移動量に応じて前記候補画像の移動速度を決定することを特徴とする請求項３〜５の何れか一項に記載の頭部装着型入力装置。
【請求項７】
前記表示制御部は、前記移動量入力部において入力された所定時間当りの前記移動量に応じて前記文字選択領域の移動速度を決定することを特徴とする請求項４〜６の何れか一項に記載の頭部装着型入力装置。
【請求項８】
前記移動量入力部において入力された前記移動量に応じて前記候補画像を移動する候補画像移動モードと、前記移動量入力部において入力された前記移動量に応じて前記文字選択領域を移動する選択領域移動モードとを切り替えるモード切替部を備えることを特徴とする請求項１〜７の何れか一項に記載の頭部装着型入力装置。
【請求項９】
前記表示部を前記頭部固定部に対して回転可能に支持する支持部を備え、
前記表示制御部は、前記表示部の前記頭部固定部に対する位置に応じて前記表示部に表示する前記映像情報の表示方向を切り替えることを特徴とする請求項１〜８の何れか一項に記載の頭部装着型入力装置。
【請求項１０】
前記移動量入力部における前記第１方向に対する移動量の検出方向を逆転させる検出方向逆転部を備えることを特徴とする請求項１〜９の何れか一項に記載の頭部装着型入力装置。
【発明の詳細な説明】
【技術分野】
【０００１】
本発明は、頭部装着型入力装置に関するものである。
【背景技術】
【０００２】
ＭＰ３プレーヤー、デジタルカメラ等の小型電子機器に備えられた液晶ディスプレイに表示された画像を選択して文字入力を行うことができる入力装置が知られている（例えば、特許文献１参照）。
【先行技術文献】
【特許文献】
【０００３】
【特許文献１】特許第４１３３５２３号公報
【発明の概要】
【発明が解決しようとする課題】
【０００４】
しかし、この入力装置においては１つの文字を入力するためには、かな、英字等の文字種を選択し、所望の文字が属する文字グループを選択し、所望の文字を選択するという煩雑な操作が必要であった。
【０００５】
本発明の目的は、簡易な入力操作により情報の入力を行うことができる頭部装着型入力装置を提供することである。
【課題を解決するための手段】
【０００６】
本発明に係る頭部装着型入力装置は、使用者の少なくとも片眼に映像情報を入力する表示部と、前記使用者の頭部に固定する頭部固定部と、前記使用者の１の操作により第１方向及び第２方向に対する移動量の入力を受け付ける移動量入力部と、入力された前記移動量に応じて前記映像情報を変化させる表示制御部とを備えることを特徴とする。
【発明の効果】
【０００７】
本発明に係る頭部装着型入力装置によれば、簡易な入力操作により情報の入力を行うことができる。
【図面の簡単な説明】
【０００８】
【図１】本発明の実施の形態に係るＨＭＤの外観を示す斜視図である。
【図２】本発明の実施の形態に係るＨＭＤの操作部を示す図である。
【図３】本発明の実施の形態に係るＨＭＤのシステム構成を示すブロック図である。
【図４】本発明の実施の形態に係るＨＭＤの文字入力画面を示す図である。
【図５】本発明の実施の形態に係るＨＭＤの文字変換画面を示す図である。
【発明を実施するための形態】
【０００９】
以下、図面を参照して本発明の実施の形態に係る頭部装着型入力装置についてヘッドマウントディスプレイ（以下、ＨＭＤという。）を例に説明する。
【００１０】
図１は、実施の形態に係るＨＭＤの外観を示す斜視図である。図１に示すように、ＨＭＤ２は音声を出力する二つのヘッドホン４，６を有し、これらは頭部固定部８により結合されている。ヘッドホン４，６にはそれぞれスピーカ３２，３４（図３参照）が収納されている。また、ヘッドホン６の外側にはディスプレイアーム１０が図示しない回転部を介して回転可能に設けられ、ディスプレイアーム１０の先端部には使用者の片眼に映像を入力することによって映像情報を使用者に提供する表示部１４が設けられている。
【００１１】
また、表示部１４の内部においては、画像や映像等の映像情報を電気的に表示するＬＣＤ１６の背面にバックライト３８（図３参照）が配置され、バックライト３８から射出された照明光を用いてＬＣＤ１６に表示された映像情報を照明する。ＬＣＤ１６に表示された映像情報は反射鏡１８により反射された後、接眼レンズ２０によりサイズが変更され使用者の眼に入力される。なお、図１においては表示部１４に表示する映像情報は使用者の左眼に入力される構成を示しているが、回転部を介してディスプレイアーム１０及び表示部１４を頭部固定部８に対して反対側に回転させた場合には、表示制御部４２（図３参照）はＬＣＤ１６に表示する映像情報の表示方向を切り替える。
【００１２】
また、ヘッドホン４の外側には、使用者の操作入力を受け付ける操作部２２が設けられ、操作部２２は、図２に示すように使用者による左右方向及び上下方向の移動量（回転量）の入力及び押下操作を受け付けるトラックボール２４、使用者による押下操作を受け付けるボタン２６を備えている。なお、図２における矢印は、使用者がトラックボール２４を用いて左右方向及び上下方向の入力を行う場合のトラックボール２４の回転方向を示している。
【００１３】
図３は、実施の形態に係るＨＭＤのシステム構成を示すブロック図である。ＨＭＤ２は、ＣＰＵ３０を備え、ＣＰＵ３０には、スピーカ３２，３４による音声の出力制御を行う音声出力制御部３６、表示部１４の内部に設けられたバックライト３８の制御を行うバックライトドライバ４０、ＬＣＤ１６に対する出力制御を行う表示制御部４２、ボタン２６が接続されている。
【００１４】
操作検出部４４は、使用者のトラックボール２４を用いた操作、即ち、トラックボール２４を左右方向及び上下方向に回転させた場合の移動量（回転量）を検出する。領域判定部４６は、操作検出部４４により検出された移動量のデータ及び領域設定部４８により設定した領域の情報を用いて文字選択領域６２（図４参照）の移動先において選択される要素の種別を判定する。ここで、領域設定部４８は、ＬＣＤ１６に表示する画像情報の全面の表示サイズ、表示位置及び画像情報に含まれる各表示欄の表示サイズ、表示位置の設定を行う。
【００１５】
なお、本実施の形態においては、文字入力画面を使用者に提供する場合に表示する候補のそれぞれを「要素」といい、要素の種別には、「階層」、「文字」、「変換」がある。ここで、ひらがな、英字、数字、記号などの文字種を「階層」といい、「あ」「い」「う」「え」「お」「Ａ」「Ｂ」「Ｃ」「ａ」「ｂ」「ｃ」「１」「２」「３」などの各階層を構成する１つの要素を「文字」といい、例えば、ひらがなを漢字に変換するための指示を行う要素を「変換」という。
【００１６】
また、要素記憶部５０は、文字及び変換候補を記憶し、選択要素生成部５２は、領域判定部４８による要素の種別の判定結果に応じて要素記憶部５０から表示する文字または変換候補を抽出し表示制御部４２に対して出力を行う。
【００１７】
図４は、本発明の実施の形態に係るＨＭＤの文字入力画面を示す図である。使用者の頭部にＨＭＤ２が装着され図示しない電源スイッチをオンにすると、ＣＰＵ３０が起動し表示部１４のＬＣＤ１６に表示した映像を使用者の片眼に入力することによって映像情報を使用者に提供する。例えば、使用者に提供される映像情報がインターネットのポータルサイトである場合に、使用者により検索語を入力する検索語入力部の選択が行われると図４に示す文字入力画面５４を表示する。文字入力画面５４は、入力された文字を表示する入力欄５６、候補の文字を２次元的に配置して表示する候補画像欄５８を備えている。入力欄５６においては未変換の文字に対して下線６０を付して表示を行い、候補画像欄５８においては選択されている文字を反転表示により示す文字選択領域６２、スクロール方向矢印６４を表示する。ここで、候補画像欄５８は候補画像欄表示領域６５内に表示される。なお、図４においては説明のために候補画像欄表示領域６５を示しているが、使用者に提供される映像情報においては候補画像欄表示領域６５を表示しなくてもよい。
【００１８】
また、図４おいては候補画像欄５８の左端の行に「英」、「数字」、「小文字」、「記号」といった階層要素を表示する。即ち、使用者のトラックボール２４を用いた入力操作により階層要素の何れかを選択し、使用者のトラックボール２４の押下操作が行われた場合には、候補画像欄５８において表示する文字を切り替える。例えば、「英」が選択された場合には英字を大文字で２次元的に表示し、「数字」が選択された場合には、数字を２次元的に表示する。また、候補画像欄５８の右下には、かな漢字変換を指示する「変換」を表示する。
【００１９】
図４に示す文字入力画面５４は、候補画像移動モードにおける入力画面であるため、使用者のトラックボール２４を用いた入力操作により候補画像欄表示領域６５内を候補画像欄５８が移動する。従って表示制御部４２は、文字選択領域６２を候補画像欄表示領域６５の略中央等、予め定められた位置に表示する。また、使用者のトラックボール２４を用いた入力操作が行われると、表示制御部４２は操作検出部４４により検出されたトラックボール２４の移動量に応じて候補画像欄５８を移動する。このとき文字選択領域６２は移動せず候補画像欄表示領域６５の略中央に表示する。
【００２０】
使用者のトラックボール２４を用いた入力操作により文字を選択し、使用者のトラックボール２４の押下操作が行われた場合には、文字選択領域６２が表示されている文字が入力される。表示制御部４２は、入力された文字に下線６０を付して入力欄５６に表示する。
【００２１】
なお、トラックボール２４の長押し操作、またはボタン２６及びトラックボール２４を同時に押下操作することにより、入力モードを候補画像欄５８が移動せず文字選択領域６２が移動する文字選択領域移動モードに変更することができる。
【００２２】
また、文字選択領域６２の移動速度は、使用者のトラックボール２４を用いた入力操作における所定時間当りのトラックボール２４の移動量に応じた速度としてもよい。
【００２３】
また、使用者のトラックボール２４を用いた入力操作において、トラックボール２４を使用者の前方向に回転させた場合に文字選択領域６２を左に移動し、使用者の後方向に回転させた場合に文字選択領域６２を右に移動する構成と、使用者の前方向に回転させた場合に文字選択領域６２を右に移動し、使用者の後方向に回転させた場合に文字選択領域６２を左に移動する構成とを切替可能としてもよい。
【００２４】
図５は、実施の形態に係るＨＭＤの文字変換画面を示す図である。図４に示す文字入力画面５４の候補画像欄５８において使用者のトラックボール２４を用いた操作により「変換」が選択されると、表示制御部４２は図５に示す文字変換画面６６を表示し、図４の入力欄５６において下線６０を付して示す文字の変換処理を開始する。文字変換画面６６は、入力欄５６、候補画像欄５８を備え、候補画像欄５８に変換候補の表示を行う。候補画像欄５８内には文字選択領域６２、候補画像欄５８の右側にはスクロール方向矢印６４を表示する。また、候補画像欄５８は候補画像欄表示領域６５内に表示される。なお、図５においては説明のために候補画像欄表示領域６５を示しているが、使用者に提供される映像情報においては候補画像欄表示領域６５を表示しなくてもよい。
【００２５】
図５における右下には要素「入力」が配置され、「入力」が選択されると図４に示す文字入力画面５４を表示する。なお、図５において上下方向のスクロール方向矢印６４を示しているが、上下方向に限らず使用者によるトラックボール２４を用いた左右方向、斜め方向への入力操作により候補画像欄５８の左右方向、斜め方向へのスクロールを行うこともできる。
【００２６】
図５においては、候補画像移動モードにおける文字変換画面６６を示している。候補画像移動モードにおいては使用者のトラックボール２４を用いた入力操作により候補画像欄５８が候補画像欄表示領域６５内を移動する。従って表示制御部４２は、文字選択領域６２を候補画像欄表示領域６５の略中央等、予め定められた位置に表示する。また、使用者のトラックボール２４を用いた入力操作が行われると、表示制御部４２は操作検出部４４により検出された移動量に応じて候補画像欄５８を移動する。このとき文字選択領域６２は移動せず文字変換画面６６の略中央に表示する。例えば、図５における「世」に文字選択領域６２を表示した状態で「ヨーロッパ」を選択するために使用者のトラックボール２４を用いた入力操作が行われると、候補画像欄５８が左下方向へスクロールされる。即ち、「ヨーロッパ」が候補画像欄５８の略中央に移動すると共にその他の候補も所定量左下に移動する。また、「ヨーロッパ」に文字選択領域６２を表示する。
【００２７】
ここで、候補画像欄５８が所定量左下に移動する結果、図５の候補画像欄５８に示した変換候補のうち左下に表示されている「夜毎」など候補画像欄表示領域６５に表示することができない場合もある。この場合に、図５に示す候補画像欄５８の右上に表示する新たな変換候補を準備し、候補画像欄５８が所定量左下に移動した際に新たな変換候補を表示してもよい。また、候補画像欄５８の移動速度は、使用者のトラックボール２４を用いた入力操作における所定時間当りのトラックボール２４の移動量に応じた速度としてもよい。
【００２８】
なお、トラックボール２４の長押し操作、またはボタン２６及びトラックボール２４を同時に押下操作することにより、入力モードを候補画像欄５８が移動せず文字選択領域６２が移動する文字選択領域移動モードに変更することができる。
【００２９】
また、ＨＭＤ２が文字変換処理の際の学習機能を備える場合には、使用者により変換が行われる可能性が高い変換候補ほど候補画像欄５８の略中央に近い位置に配置する構成としてもよい。
【００３０】
また、図５においては全ての候補を同じフォントサイズで表示する構成を示したが、文字選択領域６２が表示されている変換候補のみを他の変換候補に比べて大きく表示してもよい。
【００３１】
また、図５の候補画像欄５８における中央に位置する変換候補ほど大きく表示し中央から離れるに従って小さく表示する構成としてもよい。この場合に、候補画像欄５８の外枠を略楕円形状として表示してもよい。
【００３２】
本実施の形態に係るＨＭＤによれば、簡易な入力操作により情報の入力を行うことができる。また、キーボード等の外部装置を用いて入力する場合に比べて視線の移動を大幅に減少させることができるため、使用者の眼の疲労を抑制することができる。また、トラックボールを用いることにより操作部材の構成部品数を少なくすることができる。
【００３３】
なお、上述の実施の形態において、トラックボール２４を頭部固定部８のディスプレイアーム１０が取り付けられていない側に設ける構成として説明したが、トラックボール２４を頭部固定部８のディスプレイアーム１０が取り付けられている側に設ける構成としてもよい。
【００３４】
また、上述の実施の形態において、トラックボール２４及びボタン２６を頭部固定部８に対して同じ側に設ける構成として説明したが、トラックボール２４及びボタン２６をそれぞれ頭部固定部８に対して異なる側に設ける構成としてもよい。
【００３５】
また、上述の実施の形態において、トラックボール２４を用いる構成として説明したが、ジョイスティックなど使用者の１の操作により左右方向及び上下方向に対する移動量を検出することができる操作部材であればよい。
【００３６】
また、上述の実施の形態においては、表示部１４に表示した映像情報を使用者の片眼に入力する構成として説明したが、使用者の両眼に入力する構成としてもよい。
【００３７】
また、上述の実施の形態の候補画像移動モードにおいては、文字選択領域６２を候補画像欄表示領域６５の略中央に表示する構成としたが、文字入力画面５４または文字変換画面６６の略中央に文字選択領域６２を表示する等、予め定められた位置に文字選択領域６２を表示する構成であればよい。
【符号の説明】
【００３８】
２…ＨＭＤ、４，６…ヘッドホン、８…頭部固定部、１４…表示部、１６…ＬＣＤ、２４…トラックボール、３０…ＣＰＵ、４２…表示制御部、５８…候補画像欄、６２…文字選択領域、６５…候補画像欄表示領域
【図１】
2011249907.tif 000003
【図２】
2011249907.tif 000004
【図３】
2011249907.tif 000005
【図４】
2011249907.tif 000006
【図５】
2011249907.tif 000007